(57)【要約】  本発明は、愛玩動物の野生本能（狩猟本能）を刺激し、愛玩動物が熱中する玩具を提供することを目的とする。本発明に係る被覆動体玩具１０は駆動部１１とその周囲を回転する動体１３と、これら駆動部１１及び動体１３の上に敷設された被覆シート１２を有して構成される。駆動部１１と動体１３は弾性のある連結棒14により連結されおり、これら連結棒１４及び動体１３は共に被覆シート１２の下に配置されている。従って、外から見ると、被覆シート１２の一部が盛り上がっているように見え、この盛り上がり部分１３ｘが様々な動きをすることにより猫等の愛玩動物が興味をそそられる。
2008029495.tif 000002
【特許請求の範囲】
【請求項１】
a) 床等の上に敷設する半透明又は不透明な被覆シート材と、
b) 該被覆シート材の下で動く動体と、
を備えることを特徴とする愛玩動物用玩具。
【請求項２】
a) 床等の上に載置され、内蔵するモータにより動体を周囲の床等の上で移動させる駆動装置と、
b) 前記動体の移動可能な範囲の少なくとも一部の床等の上を覆う被覆シート材と、
を備えることを特徴とする愛玩動物用玩具。
【請求項３】
前記動体をランダムに移動させる移動制御装置を備えることを特徴とする請求項２に記載の愛玩動物用玩具。
【請求項４】
前記動体が、床等の上を転動する偏心回転体を有することを特徴とする請求項２又は３に記載の愛玩動物用玩具。
【請求項５】
前記動体が、駆動装置の周囲を回転する棒状部材と、前記棒状部材の先端に取り付けられ当該棒状部材の回転に伴ない床等の上を転動する偏心回転体とから構成されていることを特徴とする請求項２又は３に記載の愛玩動物用玩具。
【請求項６】
前記動体が、駆動装置の周囲を回転する棒状部材と、前記棒状部材に設けられ１ないし複数の取付孔と、前記取付孔に着脱可能に取り付けられるオブジェクトとから構成されていることを特徴とする請求項２又は３に記載の愛玩動物用玩具。
【請求項７】
前記駆動装置が、固定部と、この固定部に回転可能に支持され前記動体を保持する回転体と、前記モータの回転力を前記回転体に伝達する回転伝達機構とから構成されていることを特徴とする請求項２又は３に記載の愛玩動物用玩具。
【発明の詳細な説明】
【技術分野】
【０００１】
本発明は、猫等の愛玩動物（ペット）のための玩具に関する。
【背景技術】
【０００２】
従来の愛玩動物用玩具の典型的なものが特許文献１に記載されている。この玩具は、床上等に置かれた本体と、この本体から垂直上方に延びる回転軸と、この回転軸から水平方向に延びる回転竿とを備えている。回転竿の先端には、先端に房の付いた紐が取り付けられている。本体には前記回転軸を回転するモータが内蔵されている。このモータにより回転軸が回転されると、回転竿が回転し、その先端に取り付けられた、房付の紐がヒラヒラと動く。これにより、猫等の愛玩動物の興味がそそられる。
【特許文献１】日本国登録実用新案第3000984号公報
【発明の開示】
【発明が解決しようとする課題】
【０００３】
愛玩動物は、元来は野生動物であったものが長年に亘る交配・飼育等により家畜化されたものである。愛玩動物は、現在では専ら家庭内でのみ生活する動物となっているが、潜在的には野生本能を備えている。例えば、家庭内で飼育される犬や猫は、小動物を見つけた時に突然襲いかかる等、何らかの機会に野生本能（狩猟本能）を表し、飼い主が驚かされることがあるが、犬や猫にとっては、そのような機会こそが楽しい。このため、そのような機会では犬や猫は目を輝かせて俊敏に動く。【０００４】
本発明は、このような愛玩動物の野生本能（狩猟本能）を刺激し、愛玩動物が熱中する玩具を提供するものである。
【課題を解決するための手段】
【０００５】
上記課題を解決するために成された本発明に係る愛玩動物用玩具は、床等の上に敷設する半透明又は不透明な被覆シート材と、該被覆シート材の下で動く動体とを備えることを特徴とする。
また、同様な原理でありながら別の構成として、床等の上に載置され、内蔵モータにより動体を周囲の床等の上で移動させる駆動装置と、少なくとも動体の移動可能な範囲の床等の上を覆う被覆シート材とを備えることを特徴とするようなものであってもよい。
前記愛玩動物用玩具には、前記動体をランダムに移動させる移動制御装置を設けるようにしてもよい。【０００６】
前記動体は、床等の上を転動する偏心回転体と有する構成とすることができる。具体的には、前記動体は、駆動装置の周囲を回転する棒状部材と、前記棒状部材の先端に取り付けられ当該棒状部材の回転に伴ない床等の上を転動する偏心回転体とから構成することができる。前記偏心回転体は、円筒形、球形等とすると良い。なお、偏心していない（すなわち、中心軸で回転する）転動体、或いは、転動せずに固定状態で移動するものも本発明の範囲に入ることはもちろんである。【０００７】
また、前記動体は、駆動装置の周囲を回転する棒状部材と、前記棒状部材に設けられ１ないし複数の取付孔と、前記取付孔に着脱可能に取り付けられるオブジェクトとから構成することも可能である。前記オブジェクトとしては、羽根飾り、ボール、鈴等、愛玩動物が興味を示す種々のものを用いることができる。【０００８】
前記駆動装置を、固定部と、この固定部に回転可能に支持された回転体とから構成し、前記回転体に前記動体を保持させるとよい。そして、前記駆動装置に内蔵されたモータの回転力が回転伝達機構を介して前記回転体に伝達されるように構成すると良い。
【発明の効果】
【０００９】
自然界においては、他の動物の餌食となるような小動物は白日の下で動くのではなく、暗い時間帯に、隠れるように動く。それを捕捉する野生動物は、そのような微かな動きにこそ敏感に反応し、瞬時に襲いかかる。本発明に係る愛玩動物用玩具は、動体が半透明又は不透明な被覆シートの下で動くため、正にこのような狩猟対象となる小動物の動きを想起させ、愛玩動物の狩猟本能を刺激する。これにより、愛玩動物は非常な興味を持って遊ぶようになる。
【図面の簡単な説明】
【００１０】
【図１】本発明の第１実施例である回動式被覆動体玩具の平面図(a)、及び、側面図(b)。
【図２】駆動部の蓋と被覆シートを完全に取り除いた状態の平面図(a)、及び、駆動部の片断面図(b)。
【図３】被覆シートの別の構成例を示す展開図(a)、及び、平面図(b)。
【図４】本発明の第２実施例である回動式被覆動体玩具を示すものであり、被覆シートを取り除いた状態の側面図(a)、平面図(b)、底面図(c)。
【図５】分解斜視図。
【図６】一部を破断して示す斜視図。
【図７】固定部内の構造を示す平面図。
【図８】オブジェクトの取付例を示す側面図(a)、平面図(b)。
【図９】被覆シートの下を動体が移動するときの様子を説明するための図。
【図１０】本発明の第３実施例を示す回転式被覆動体を示すものであり、一部を破断して示す側面図(a)、別の側面図（b)。
【図１１】回転カバーを取り除いて示す平面図
【図１２】回転カバーの動作説明図。
【図１３】被覆シートの取付手順を説明するための図。
【符号の説明】
【００１１】
１０…回動式被覆動体玩具
１１…駆動部
１１ａ…蓋
１２…被覆シート
１２ａ…素片
１３…動体
１４…連結棒
２１…固定部
２２…回転部
２３…モータ
２３ａ…軸
２４…電池ボックス
２５…制御部
２６…受信部
２７…フリクションローラ
２８…支えローラ
２９…従動ローラ
３０…紐
３１…回転カバー
３２…キャップ
５１…竿
５２…球体
５４…オブジェクト
６１…切欠凹部６１
６２…チューブ
６５…モータ保持部
【発明を実施するための最良の形態】
【００１２】
本発明を回動式被覆動体玩具に適用したいくつかの実施例について図面を参照しながら説明する。
【実施例１】
【００１３】
図１〜図３は本発明の第１実施例である回動式被覆動体玩具を示している。本実施例の玩具１０は図１(a)に示すように、中央に駆動部１１が配置され、その周囲に被覆シート１２が広げられた形態を有する。図１(b)に破線で示すように、駆動部１１からは横方向に動体１３が突出しており、駆動部１１と動体１３は弾性のある連結棒１４により連結されている。これら連結棒１４及び動体１３は共に被覆シート１２の下に配置されている。従って、外から見ると図１(a)に示すように、被覆シート１２の一部が盛り上がっているように見え、この盛り上がり部分（被覆動体）１３ｘが後述のメカニズムにより様々な動きをする。
図２(a)及び(b)に示すように、駆動部１１は、被覆シート１２を保持する蓋１１ａと、床等に固定される中央の固定部２１と、その周囲で回転可能に設けられたリング状の回転部２２を備えている。図２(a)は駆動部１１の蓋１１ａと被覆シート１２を完全に取り除いた状態の平面図を、図２(b)は片断面図を示す。被覆シート１２は中央に円形状の穴を有する１枚の布やビニールシート等で作製されており、その内周縁が蓋１１ａの周縁部の溝に嵌め込まれている。【００１４】
前記連結棒１４は前記回転部２２に固定されている。固定部２１の内部にはモータ２３、電池ボックス２４、制御部２５及び受信部２６が設けられている。モータ２３の軸の先端にはフリクションローラ２７が取り付けられており、これが回転部２２の上面に接触している。同じ箇所の回転部２２の下面には、図２(b)に示すように支えローラ２８が設けられており、両ローラ２７、２８で回転部２２を挟み、モータ２３を回転させることにより、回転部２２を固定部２１の回りに回転させる。また、回転部２２の回転を安定させるために、固定部２１からは、モータ２３の軸の先端の他に、９０度ごとに３箇所（計４箇所）の従動ローラ２９が設けられている。【００１５】
動体１３は、連結棒１４の回りに自由に回転可能な円筒状物体となっている。そして、連結棒１４は、円筒状の動体１３の中心軸ではなくそこからやや外れた位置に取り付けられている。従って、動体１３は、床上を移動するにつれ偏心転動し、被覆シート１２を上下振動させる。外から見たとき、これが動体１３の動きを更に複雑に見せる。【００１６】
本実施例の玩具１０では更に、動体１３の先端に柔らかい紐３０が取り付けられ、これが被覆シート１２の外に少し出るようになっている。これも愛玩動物の興味をそそる道具となっている。【００１７】
モータ２３は電池からの電力により駆動される。電池からモータ２３への電力供給は制御部２５により制御され、そして、制御部２５は外部からの無線指令により制御される。外部からの無線指令は受信部２６を介して制御部２５に伝えられる。なお、本実施形態では無線制御としたが、もちろん有線制御としてもよいし、スイッチを入れれば後は予め定められたプログラム通りに動くという予定制御としてもよい。この場合、動体１３が規則的な動きよりはランダムな動きをするようにプログラムしておくことが望ましい。【００１８】
図３は、被覆シート１２の別の構成例を示している。図３に示す被覆シート１２は、短冊状の素片１２ａをゴムひも等でつなぎ、リング状にしたものである。これにより、動体１３の動きがより複雑に見えるとともに、猫等の愛玩動物が動体１３をいじっている間、これらの素片１２ａが猫等にからみつき、より刺激を与えることができるようになる。
【実施例２】
【００１９】
図４〜図９は本発明の第２実施例に係る回動式被覆動体玩具を示すものであり、第１実施例と異なるところを中心に説明する。尚、第１実施例と同一部分には同一符号を付している。図４〜図７に示すように、本実施例の玩具１０の駆動部１１は固定部２１と、この固定部２１の上面を覆う回転カバー３１と、この回転カバー３１の上部中央に設けられたキャップ３２を備えている。キャップ３２の上には電源をON/OFFするための操作つまみ３３が設けられている。【００２０】
電池ボックス２４は固定部２１の下面中央に設けられている。この電池ボックス２４の上面には支持体３４が固定されており、この支持体３４に前記回転カバー３１が回転可能に支持されている。
固定部２１の内部にはモータケース３５が取り付けられており、このモータケース３５内にモータ２３が配置されている。モータケース３５の上面及びモータケース３５内の固定部２１底面にはそれぞれ軸受孔３６，３７が設けられており、これら軸受孔３６，３７に軸３８が挿通されている。軸３８のうちモータケース３５よりも上方に突出する部分には駆動プーリ３９が固定されている。また、軸３８のうち軸受孔３６，３７間に位置する部分にはウォームホイール４０が固定されている。【００２１】
モータ２３の軸２３ａの先端には前記ウォームホイール４０に噛み合うウォーム４１が固定されている。前記ウォームホイール４０及びウォーム４１からなるウォームギア機構により、モータ２３の回転が駆動プーリ３９に伝達される。
支持体３４には従動プーリ４２が回転可能に支持されている。この従動プーリ４２には前記回転カバー３１が着脱可能に取り付けられている。従動プーリ４２と前記駆動プーリ３９との間にはゴムベルト４３が掛け渡されており、駆動プーリ３９が回転することにより従動プーリ４２と回転カバー３１とが一体的に回転するようになっている。【００２２】
本実施例の玩具では、動体１３は竿５１とその先端に一体的に設けられた球体５２から構成されている。第１実施例と異なり本実施例の動体１３は剛性の高い例えばプラスチックから構成されており、回転カバー３１の側面に取り付けられている。竿５１には例えば３個の穴５３が設けられており、図８の(a),(b)に示すようにオブジェクト５４が取り付けられるようになっている。図８にはオブジェクト５４の例として、羽根飾り、ボール、鈴を挙げたが、これらに限定されない。また、竿５１に取り付けるオブジェクト５４の数は３個に限らず、１個や２個でも良い。【００２３】
前記キャップ３２は支持体３４の上部に螺挿されている。被覆シート１２は、ほぼ矩形状のシートからなり、その中央の穴を前記支持体３４の上部に挿通し、その上から前記キャップ３２をねじ込むことより当該被覆シート１２が支持体３４に固定される。
図９は動体１３の位置と被覆シート１２との関係を示している。図８において、２点鎖線Ｓは動体１３の先端部分の軌跡を示している。図９に示すように、モータ２３が駆動されると、回転カバー３１と共に動体１４が回転する。このとき、被覆シート１２が矩形状であるため、Ｒ１で示す範囲に動体１３が位置するときは動体１３全体が被覆シート１２に隠れるが、Ｒ２で示す範囲に動体１３が位置するときは球体５２の一部或いは全部が被覆シート１２の外側に位置する。このため、外から球体５２が見える。このように動体１３の回転位置に応じて球体５２が見え隠れすることにより愛玩動物の興味がそそられる。【００２４】
また、竿５１にオブジェクト５４が取り付けられているときは、動体１３の回転と共にオブジェクト５４が被覆シート１２の下を動き回り、ときにはオブジェクト５４の一部が外から見える。従って、オブジェクト５４を取り付けることにより動体１３だけのときに比べて被覆シート１２の下の動きが一層複雑になり、猫等の愛玩動物により強い刺激を与えることができる。
【実施例３】
【００２５】
図１０から図１３は本発明の第３実施例に係る回動式被覆動体玩具を示すものであり、第２実施例と異なるところを中心に説明する。尚、第２実施例と同一部分には同一符号を付している。本実施例の玩具１０はモータ２３の回転力を回転カバー３１に伝達する回転伝達機構及び被覆シート１２の取付け方法が第２実施例と異なっている。
具体的には、図１０及び図１１に示すように、固定部２１の周壁部には半円状の切欠凹部６１が設けられており、モータ２３はその軸２３ａが前記切欠凹部６１内に位置するように固定部２１内に配置されている。前記軸２３ａには円筒状のゴム製チューブ６２が挿通されており、固定部２１の上に回転カバー３１を取り付けたとき当該回転カバー３１の周壁部の下面にチューブ６２が接触するようになっている。このような構成により、モータ２３が駆動されてチューブ６２が回転すると、その回転は直接的に回転カバー３１に伝達され、回転カバー３１が支持体３４の周りを回転する。【００２６】
モータ２３は、固定部２１の底面に設けられたモータ保持部６５に保持されている。モータ保持部６５は、固定部２１の底面に形成されたＵ字状の穴６６で囲まれた部分から成り、上下方向に弾性変形可能となっている。
図１２(a)に示すように、固定部２１から回転カバー３１を取り外した状態でモータ保持部６５にモータ２３を保持させたとき、前記チューブ６２は切欠凹部６１よりも上方に位置するように構成されている。【００２７】
この状態で固定部２１に回転カバー３１が取り付けられると、図１２(b)に示すように、回転カバー３１の周壁部の下面がチューブ６２に当接し、回転カバー３１の荷重がチューブ６２に加わる。この結果、モータ保持部６５が下方に弾性変形し、チューブ６２が切欠凹部６１内に位置する。但し、このときは未だチューブ６２は切欠凹部６１に接触していない。従って、下方に弾性変形しているモータ保持部６５の復元力によって回転カバー３１の周壁部の下面にチューブ６２が強く押し当てられ、当該周壁部とチューブ６２との間に比較的安定した摩擦力が作用する。このため、モータ２３が駆動してチューブ６２が回転すると、その回転力が回転カバー３１に伝達され、チューブ６２と共に回転カバー３１が回転する。【００２８】
また、回転カバー３１に過度の荷重が加わると、回転カバー３１の周壁部の下面に押圧されてチューブ６２が切欠凹部６１内に入り込むと共にモータ保持部６５が下方に弾性変形する。このように、切欠凹部６１は過荷重を受けたときのチューブ６２の逃げ場として機能する。これにより猫や犬等の愛玩動物が回転カバー３１に乗ったり回転カバー３１を押さえつけたりして回転カバー３１に過度の荷重が加わったときでも、モータ２３が損傷することを防止できる。尚、過度の荷重が無くなると、モータ保持部６５は上方に弾性変形するが、モータ保持部６５が元の状態に戻るまでのしばらくの間はチューブ６２と回転カバー３１との間に作用する摩擦力が弱まる。このため、チューブ６２の回転力が回転カバー３１にうまく伝達されず、モータ２３は空転する。【００２９】
図１３は被覆シート１２の取付手順を示している。本実施例の被覆シート１２はほぼ円形状の布から成り、中央の孔をキャップと回転カバーの間の隙間に嵌め込むことにより駆動部に取り付けられるようになっている。被覆シート１２の中央の孔の周縁部には環状のゴムが挿通されており、前記ゴムを引き延ばして孔を広げることによりキャップと回転カバーの間の隙間部分に取り付けることができる。【００３０】
尚、本発明は上記した実施例に限定されるものではなく、例えば次のような変形が可能である。
被覆シート１２は完全に不透明である必要はなく、半透明程度でも構わない。また、被覆シート１２は不透明である部分と透明或いは半透明である部分とを有する構成でも良く、ネット状としてもよい。このような構成にすると、被覆シート１２の上からでも動体１４やオブジェクト５４の動きが観察される。このため、完全に不透明な被覆シート１２を用いる場合とは異なる刺激を愛玩動物に与えることができる。
駆動源としてはモータ２３の他、電磁石等の他の動力源でも構わない。
【図１】
2008029495.tif 000003
【図２】
2008029495.tif 000004
【図３】
2008029495.tif 000005
【図４】
2008029495.tif 000006
【図５】
2008029495.tif 000007
【図６】
2008029495.tif 000008
【図７】
2008029495.tif 000009
【図８】
2008029495.tif 000010
【図９】
2008029495.tif 000011
【図１０】
2008029495.tif 000012
【図１１】
2008029495.tif 000013
【図１２】
2008029495.tif 000014
【図１３】
2008029495.tif 000015
【国際調査報告】
2008029495.tif 000016
2008029495.tif 000017
2008029495.tif 000018
2008029495.tif 000019